(57)【要約】【課題】ショートパンチ金型をロングパンチ金型対応タレットパンチプレスに転換使用するためのショートパンチ金型の転換構造を提供する。【解決手段】ショートパンチ金型を組成するパンチ１の上端に増し丈用エクステンションロッド１１を螺合し、該ロッド１１の上端にショートパンチ金型を組成するパンチヘッド３を螺合すると共に、同ロッド１１にショートパンチ金型を組成するコイルスプリング４とスペーサー筒１２を該スペーサー筒１２を上位にして外挿し、更にパンチガイド筒３を外挿保持せる上端にバネ受けフランジ１４ａを有するホルダー筒１４を上記パンチ１の上端ロッド部１ａに外挿し、ハンマー６によりパンチヘッド３とロッド１１とパンチ１とをパンチガイド筒１３による案内下において上記コイルスプリング４を圧縮しつつ下降する構成としたショートパンチ金型の転換構造。【選択図】        図３
2007014963.tif 000002
【特許請求の範囲】
【請求項１】
ショートパンチ金型対応タレットパンチプレスに使用されているショートパンチ金型をロングパンチ金型対応タレットパンチプレスに転換使用するためのショートパンチ金型の転換構造であって、ショートパンチ金型を組成するパンチの上端に該パンチを増し丈するエクステンションロッドを螺合し、該エクステンションロッドの上端にショートパンチ金型を組成するパンチヘッドを螺合すると共に、同ロッドにショートパンチ金型を組成するコイルスプリングとスペーサー筒を該スペーサー筒を上位にして外挿し、更にパンチガイド筒を外挿保持せる上端にバネ受けフランジを有するホルダー筒を上記パンチの上端ロッド部に外挿し、上記パンチヘッドをハンマーで打撃することにより同パンチヘッドとエクステンションロッドとパンチとをパンチガイド筒による案内下において上記コイルスプリングをスペーサー筒と上記バネ受けフランジ間において圧縮しつつ下降する構成としたことを特徴とするショートパンチ金型の転換構造。
【発明の詳細な説明】
【技術分野】
【０００１】
本発明はショートパンチ金型対応タレットパンチプレスに使用されているショートパンチ金型を、ロングパンチ金型対応タレットパンチプレスに転換使用するためのショートパンチ金型の転換構造に関する。
【背景技術】
【０００２】
現在プレス加工業者間において使用されているタレットパンチプレスには、ショートパンチ金型対応のものとロングパンチ金型対応のものが使用されているが、近年プレスメーカーの事情により、ショートパンチ金型対応のタレットパンチプレスの供給が縮小されてきており、今までショートパンチ金型対応タレットパンチプレスを使用していたプレス加工業者が新規にロングパンチ金型対応のタレットパンチプレスを導入すると、これまで使用していた多数のショートパンチ金型を死蔵しながら、新たに多数のロングパンチ金型を購入せねばならず、多額の設備負担を強いられ、加工コストで設備投資を吸収できず、採算性を著しく悪化する問題を生じている。
【発明の開示】
【発明が解決しようとする課題】
【０００３】
上記ショートパンチ金型を組成するパンチ部は極めて高価であるところ、本発明は金型交換に伴うプレス加工業者の設備負担を軽減するため、上記ショートパンチ金型を組成するパンチ部をロングパンチ金型対応タレットパンチプレスに適切に転換使用できるようにしたものであり、これにより上記問題の解決を図ったものである。
【課題を解決するための手段】
【０００４】
要述すると、本発明は上記課題を解決する手段として、上記ショートパンチ金型を組成するパンチの上端に該パンチを増し丈するエクステンションロッドを螺合し、又上記エクステンションロッドの上端にショートパンチ金型を組成するパンチヘッドを螺合すると共に、同ロッドにショートパンチ金型を組成するコイルスプリングとスペーサー筒を該スペーサー筒を上位にして外挿し、更にパンチガイド筒を外挿保持せる上端にバネ受けフランジを有するホルダー筒を上記パンチの上端ロッド部に外挿し、上記パンチヘッドをハンマーで打撃することにより、同パンチヘッドとエクステンションロッドとパンチとをパンチガイド筒による案内下において、上記コイルスプリングをスペーサー筒と上記バネ受けフランジ間において圧縮しつつ下降する構成とした、ロングパンチ金型対応タレットパンチプレスへの転換使用に供するショートパンチ金型の転換構造を提供するものである。
【発明の効果】
【０００５】
本発明によれば、プレス加工業者が多量に所有している、死蔵乃至交換せねばならないショートパンチ金型のパンチ部を含む複数の部品を転換部品として再利用しつつ、ロングパンチ金型対応タレットパンチプレスに適切に転換使用できるパンチ金型を提供でき、これによりロングパンチ金型対応タレットパンチプレスを導入した業者の経済的負担を大幅に軽減し、中小企業が主流を占めるプレス加工業者の経営に利する効果が極めて甚大である。
【発明を実施するための最良の形態】
【０００６】
以下本発明を実施するための最良の形態を図１乃至図３に基づき説明する。図１はショートパンチ金型対応タレットパンチプレスに使用されているショートパンチ金型の断面図、図２はショートパンチ金型のパンチ等をロングパンチ金型に対応する金型に転換するために新たに用意した主要部品の断面図、図３は上記ショートパンチ金型を組成するパンチ１等を用いて形成したロングパンチ金型対応のタレットパンチプレスに転換使用する転換構造を持った金型の断面図である。
【０００７】
尚図３においてはショートパンチ金型に使用されている部品を同一方向の断面表示斜線を以って表現し、転換構造形成のために新たに用意した部品を上記と異なる方向の断面表示斜線を以って表現しており、図３においてはショートパンチ金型の転用部品を図１と同じ符号を以って表している。
【０００８】
ショートパンチ金型対応タレットパンチプレスに使用されているショートパンチ金型は、図１に示すように、パンチ１の上端ロッド部１ａの上端末にハンマー６の打撃が加えられるパンチヘッド３を螺合すると共に、下端末に打ち抜き刃１ｃを有する下端ロッド部１ｂにパンチガイド筒２を外挿し、該パンチガイド筒２の上端末に設けたタレット受け座２ｃと上記パンチヘッド３間のパンチ１の上端ロッド部１ａにコイルスプリング４を外挿した構成を有している。
【０００９】
上記パンチ１の上端ロッド部１ａの上端末の外周面には雄ネジ１ｄを設け、他方上記パンチヘッド３はフランジ部３ａとボス部３ｂとから成り、該ボス部３ｂの内周面に雌ネジ３ｃを設け、該雌ネジ３ｃに上記雄ネジ１ｄを螺合することにより、パンチ１の上端ロッド部１ａの上端末にハンマー６の打撃が加えられるパンチヘッド３を一体に取り付ける。
【００１０】
又上記パンチヘッド３を強固に取り付け、緩み止めを図る手段として、キー筒５内に上記パンチヘッド３のボス部３ｂを圧入して締まり嵌めし、上記螺合を図っている。
【００１１】
上記コイルスプリング４は上記キー筒５のバネ受けフランジ５ａと上記パンチガイド筒２の下記するホルダー筒７間に介挿し、両者５ａ、７間において圧縮・伸長せしめる。
【００１２】
又上記パンチガイド筒２のタレット受け座２ｃの内周面にホルダー筒７を結合リング１０を介して内嵌めし、該ホルダー筒７を下端ロッド部１ｂの上端に滑合することにより、パンチガイド筒２を同下端ロッド部１ｂに外挿する。
【００１３】
パンチ１の下端ロッド部１ｂは上端ロッド部１ａより大径にし、その下端から打ち抜き刃１ｃを延出し、上記ホルダー筒７の下端面を上記大径の下端ロッド部１ｂの肩部に当接し、パンチガイド筒２の下方への脱落を防止している。
【００１４】
而して上記ショートパンチ金型はタレットパンチプレスのタレット８に設けた貫通孔８ａに上記パンチガイド筒２を貫挿し、タレット受け座２ｃを上記貫通孔８ａの入口側端縁に座着して装着し、該装着状態において上記パンチヘッド３をハンマー６で打撃することにより、同パンチヘッド３とパンチ１とをパンチガイド筒２による案内下において上記コイルスプリング４をパンチヘッド３とパンチガイド筒２上端末のホルダー筒７間において圧縮しつつ下降し、ワークプレート９に打ち抜き加工を施す構成となっている。
【００１５】
上記パンチガイド筒２の側壁には、パンチ１の下端ロッド部１ｂの側面から突出された滑子１ｅを滑合せるガイド溝２ａを設け、パンチガイド筒２に対するパンチ１の上下動を案内している。
【００１６】
又パンチガイド筒２の下端面には、パンチ１の打ち抜き刃１ｃを出入せしめる開口２ｂを設け、該開口２ｂから打ち抜き刃１ｃを下方へ向け突出することにより、上記ワークプレート９の打ち抜き加工を行う。
【００１７】
以下、上記ショートパンチ金型のパンチ部を含む複数の部品を転換部品として再利用しつつ、ロングパンチ金型対応タレットパンチプレスに適切に転換使用できるパンチ金型の転換構造について説明する。
【００１８】
上記ショートパンチ金型を組成するパンチ１の上端に該パンチ１を増し丈するエクステンションロッド１１を螺合する。
【００１９】
即ち上記パンチ１の上端ロッド部１ａの端末に設けられている上記雄ネジ１ｄを利用し、該雄ネジ１ｄに上記エクステンションロッド１１の下端を螺合する。
【００２０】
上記エクステンションロッド１１はショートパンチ金型のパンチ１の長さをロングパンチ金型の長さに適合するよう、転換構造形成用として新たに用意したものである。
【００２１】
再述すると、上記エクステンションロッド１１の下端に、下端面で開口する結合孔１１ａを設け、該結合孔１１ａ内に上記パンチ１の上端ロッド部１ａの端末を挿入しつつ、雄ネジ１ｄを該結合孔１１ａの内周面に形成した雌ネジ１１ｂに螺合し、パンチ１の上端ロッド部１ａの上端面を結合孔１１ａの内底面１１ｃに突き当て強力に締結する。
【００２２】
上記エクステンションロッド１１の上端にショートパンチ金型を組成するパンチヘッド３を螺合する。即ちパンチヘッド３のボス部３ｂを雌ネジ３ｃを以ってエクステンションロッド１１の上端部に設けた雄ネジ１１ｄに螺合する。
【００２３】
又上記パンチヘッド３を強固に取り付け、緩み止めを図る手段として、キー筒５内に上記パンチヘッド３のボス部３ｂを圧入して締まり嵌めしつつ上記螺合を図る。上記キー筒５はショートパンチ金型を組成する部品である。
【００２４】
上記エクステンションロッド１１にショートパンチ金型を組成するコイルスプリング４とスペーサー筒１２を該スペーサー筒１２を上位にして外挿し、該コイルスプリング４とスペーサー筒１２を上記パンチヘッド３と後記するパンチガイド筒１３間に介挿する。
【００２５】
上記スペーサー筒１２はショートパンチ金型を組成するコイルスプリング４の長さをロングパンチ金型の長さに適合するよう、転換構造形成のために新たに用意したものである。
【００２６】
更に筒部１４ｂの上端にバネ受けフランジ１４ａを設けたホルダー筒１４を用意し、該ホルダー筒１４にパンチガイド筒１３を外挿して保持せしめ、該パンチガイド筒１３を外挿保持せるホルダー筒１４を上記パンチ１の上端ロッド部１ａに外挿する。
【００２７】
即ちパンチ１の上端ロッド部１ａに上記ホルダー筒１４を外挿し、該ホルダー筒１４の筒部１４ｂの下端をパンチ１の大径ロッド部（下端ロッド部１ｂ）の肩部１ｆに衝合し、パンチガイド筒１３とホルダー筒１４との組立体がパンチ１から脱落しないように外挿する。
【００２８】
更に該ホルダー筒１４の筒部１４ｂに上記パンチガイド筒１３を密に外挿し、パンチガイド筒１３の上端に設けたフランジ１３ａをホルダー筒１４の上記バネ受けフランジ１４ａの下面に当接重合する。
【００２９】
又上記フランジ１３ａの内周面と上記ホルダー筒１４の筒部１４ｂの基部内周面との間に結合リング１０を介在し、パンチガイド筒１３の脱落を防止する。
【００３０】
上記パンチガイド筒１３の側壁には、パンチ１の下端ロッド部１ｂの側面から突出された滑子１ｅを滑合せるガイド溝１３ｂを設け、パンチガイド筒１３に対するパンチ１の上下動を案内する。
【００３１】
又パンチガイド筒１３の下端面には、パンチ１の打ち抜き刃１ｃを出入せしめる開口１３ｃを設け、打ち抜き刃１ｃが該開口１３ｃを通して内外へ出没可能にし、打ち抜き刃１ｃを下方へ向け突出動することにより上記ワークプレート９の打ち抜き加工を行う。
【００３２】
上記パンチガイド筒１３はタレットパンチプレスのメーカーが市販しているロングパンチ金型のパンチガイド筒を使用する。
【００３３】
前記の通り、パンチ１の長さがエクステンションロッド１１によって増し丈され、該増し丈されたパンチ１の上端ロッド部１ａにホルダー筒１４を介してパンチガイド筒１３を外挿している。
【００３４】
このためホルダー筒１４の筒部１４ｂは上記上端ロッド部１ａの外周面の略全長に外挿し、筒部１４ｂの下端面が肩部１ｆに当接する長さにし、パンチガイド筒１３と上端ロッド部１ａ間に介挿する。
【００３５】
従って上記ホルダー筒１４はショートパンチ金型のパンチ１の長さをロングパンチ金型の長さに適合するよう改造するために、即ち転換構造形成のために新たに用意したものである。
【００３６】
更に上記ホルダー筒１４のバネ受けフランジ１４ａの上面には、上端ロッド部１ａの周面において開放せる皿形凹部１４ｃを設け、他方上記エクステンションロッド１１の下端末の周面に逆錐形部１１ｅを設け、上記エクステンションロッド１１がパンチ１と一緒に下降した時に、逆錐形部１１ｅを皿形凹部１４ｃ内に受け入れてパンチ１の下降ストロークを増大する構成にし、よってロングパンチ金型に必要なパンチストロークを確保した。
【００３７】
而して上記転換構造を有するロングパンチ金型対応のパンチ金型は、タレットパンチプレスのタレット８に設けた貫通孔８ａに上記パンチガイド筒１３を貫挿し、フランジ１３ａを上記貫通孔８ａの入口側端縁に座着して装着し、該装着状態において上記パンチヘッド３をハンマー６で打撃することにより、同パンチヘッド３とエクステンションロッド１１とパンチ１とをパンチガイド筒１３による案内下において、上記コイルスプリング４をスペーサー筒１２と上記バネ受けフランジ１４ａ間において圧縮しつつ下降し、ワークプレート９に打ち抜き加工を施すことができる。
【００３８】
前記の通り、上記パンチ１の下降時、エクステンションロッド１１の下端部の逆錐形部１１ｅが皿形凹部１４ｃ内へ受け入れられて、ロングパンチ金型に必要なパンチストロークを確保できる。
【図面の簡単な説明】
【００３９】
【図１】ショートパンチ金型対応タレットパンチプレスに使用されているショートパンチ金型の断面図。
【図２】Ａ乃至Ｄはショートパンチ金型のパンチ等をロングパンチ金型に対応する金型に転換するために新たに用意した主要部品の断面図。
【図３】上記ショートパンチ金型を組成するパンチ等を用いて形成したロングパンチ金型対応のタレットパンチプレスに転換使用する転換構造を持った金型の断面図。
【符号の説明】
【００４０】
１…パンチ、１ａ…上端ロッド部、１ｂ…下端ロッド部、１ｃ…打ち抜き刃、１ｄ…雄ネジ、１ｅ…滑子、１ｆ…肩部、２…パンチガイド筒、２ａ…ガイド溝、２ｂ…開口、２ｃ…タレット受け座、３…パンチヘッド、３ａ…フランジ部、３ｂボス部、４…コイルスプリング、５…キー筒、５ａ…バネ受けフランジ、６…ハンマー、７…ホルダー筒、８…タレット、８ａ…貫通孔、９…ワークプレート、１０…結合リング、１１…エクステンションロッド、１１ａ…結合孔、１１ｂ…雌ネジ、１１ｃ…内底面、１１ｄ…雌ネジ、１１ｅ…逆錐形部、１２…スペーサー筒、１３パンチガイド筒、１３ａ…フランジ、１４…ホルダー筒、１４ａ…バネ受けフランジ、１４ｂ…筒部、１４ｃ…皿形凹部
【図１】
2007014963.tif 000003
【図２】
2007014963.tif 000004
【図３】
2007014963.tif 000005